(57)【特許請求の範囲】
【請求項１】
既存の円柱の周面に対して接触する複数の固定部材と、
該固定部材を前記円柱の周面に圧接させる複数の帯状体と、
前記固定部材に対し前記円柱の周面に離接する方向に移動可能に締結部材にて固定される保持部材と、
該保持部材において前記締結部材にて固定される被固定面に一体に連設される保持面に形成された複数の締結部材用固定孔と、
から成り、
前記固定部材は、断面がコの字形の金属材であり、前記円柱の軸方向に沿って延在し、前記コの字形の両横辺面に複数の前記長孔を形成され、前記コの字形の開口部を前記円柱の周面に向けて圧接され、断面が前記コの字形の内部において一方では前記円柱の周面に圧接し他方では前記帯状体に圧接して前記帯状体を張設する弾性部材を備え、
前記保持部材は、複数の締結部材と複数の前記締結部材用固定孔とにより、前記円柱の  曲率半径よりも大きい曲率半径の曲面型広告媒体を前記保持面に固定して保持する、
ことを特徴とする曲面型広告媒体設置装置。
【請求項２】
前記帯状体は、短手方向の剛性と長手方向の可撓性とを有し、前記固定部材に形成された長孔を介し前記固定部材の短手方向に挿通され、前記円柱の周面に巻き付けられて両端部を相互に固定され、前記剛性と前記可撓性とにより前記固定部材を前記円柱の周面に圧接させる、
ことを特徴とする請求項１記載の曲面型広告媒体設置装置。
【請求項３】
前記保持部材は、金属材であり、前記固定部材に対向して前記締結部材にて前記固定部材に固定され前記被固定面は前記金属材の一方の材面であり、前記曲面型広告媒体を保持する前記保持面は前記金属材の他方の材面である、ことを特徴とする請求項１記載の曲面型広告媒体設置装置。
【請求項４】
前記弾性部材は、くの字形に屈曲した板状の弾性体であり、くの字形の屈曲部を前記円柱の周面に圧接し、くの字形の両端部を前記固定部材に圧接する、
ことを特徴とする請求項１記載の曲面型広告媒体設置装置。
【請求項５】
前記固定部材は、前記コの字形の内部において且つコの字形の縦辺面と前記帯状体との間に配置され、押し付勢力を有する付勢部材に助成されて前記帯状体を前記円柱の周面方向に付勢して前記帯状体を張設する張設機構を備える、
ことを特徴とする請求項１記載の曲面型広告媒体設置装置。
【請求項６】
前記張設機構は、前記コの字形の縦辺面から前記固定部材の内部に挿通された棒状体を成し、該棒状体には、前記コの字形の縦辺面に接する受側締結部材を挿通され、前記帯状体に圧接する先端部に固定フランジを有し、前記付勢部材は、押し螺旋バネであり、前記帯状体に外嵌し、前記受側締結部材と前記固定フランジの間に介装される、ことを特徴とする請求項５記載の曲面型広告媒体設置装置。
【発明の詳細な説明】
【技術分野】
【０００１】
本発明は、既存円柱に対し無加工で曲面型広告媒体を設置可能な曲面型広告媒体設置装置に関する。
【背景技術】
【０００２】
従来、公共の場所などにおける広告媒体には、外照式又は内照式のポスター、看板、又はフラットディスプレイなどがあり、これらの主な設置場所は建築物の壁面や円柱、電柱等である。
【０００３】
例えば、電柱に配置した広告装置に手軽にポスター等を掲示でき、掲示時期が過ぎたポスター等を確実に処分できる広告媒体の設置方法として、電柱に帯状の取付金具で取り付けた金属製で箱状の広告装置を配置し、その施解錠される扉部材に透明部材を配置し、その内部に回転駆動されるベルト部材を配置し、そのベルト面にポスターを貼着し、所定期間経過後ポスターをベルト部材から取り外す、という広告装置が提案されている。（例えば、特許文献１参照。）
【０００４】
ところで、既存の円柱を利用した広告媒体の設置は、上述したように電柱とは限らず、公共の場所でさえあれば、建築物の壁面や円柱等も利用される。
【０００５】
図５及び図６は、そのような公共の場所における既存の建築円柱に曲面型広告媒体を設置した状態を示す図である。
図５では、天井の複数の照明灯１に明るく照らし出された地下道２の中央部を通路方向に沿って、立て看板３や、その立て看板３を両側から挟むように立設する既存の建築円柱４の周面に設置された曲面型広告媒体５が展示されている。特に曲面型広告媒体５は目立つ存在であるので通行人６が見とれながら歩いている。
【０００６】
図６では、ビルの或る階に在るエキシビジョンホールの出入り口７と、その出入り口７の前方に配設されている階上階下を人が昇り降りする階段８との間の通路９の上記の出入り口７の横脇の壁際に沿って、４本の円柱１１の周面にそれぞれ取り付けられた曲面型広告媒体１２が展示されている。
【０００７】
４面の曲面型広告媒体１２が並ぶ脇には、数枚の宣伝チラシを持った宣伝マン１３が立っており、通路９の通行人１４の中には、展示された曲面型広告媒体１２に注目している人たちも見える。
【先行技術文献】
【特許文献】
【０００８】
【特許文献１】特開２００８−２６２３２０号公報
【発明の概要】
【発明が解決しようとする課題】
【０００９】
ところで、図５や図６に示す曲面型広告媒体５や１２のように、大型の建築物円柱に取り付ける大型の曲面型広告媒体になると質量があるため、円柱への設置はネジやボルトなどによる機械的な固定となり、そのための円柱に対する取付準備加工が必須となる。
【００１０】
また、所定期間が経過して曲面型広告媒体を撤去した後では、取付準備加工の際の加工跡が残るので、その修正復元に時間と費用が発生する。
また、図５に示すような既存の建築円柱には、同じ建物内又は同じ通路に連通する通路でも場所によって円柱の太さにばらつきがある。したがって、円柱に曲面型広告媒体を設置する場合は、円柱の太さに合わせて曲面型広告媒体を製作する。
【００１１】
そのように、円柱の太さが異なる場合は、それぞれの円柱の太さに合わせた個別の曲面型広告媒体を製作するだけでなく、個別の設置工法を検討する必要がある。すなわち、図５に示したような建築円柱４の場合には、円柱の内部構造を予め知っていないと、ボルト穴を開けたりする取付準備加工が出来ないから、個々の円柱の太さや内部構造の事前の調査が必要で、多大の時間と費用がかかる。
【００１２】
このように、既存の大型建築円柱の周面に曲面型広告媒体を展示するためには、その取付前と撤去後の両方において、多大の時間と費用がかかるという解決すべき課題がある。
また、建築円柱にボルト穴を開けたりする取付準備加工は、電気ドリルで円柱周面に穴を開けた後、その穴にメスネジを切った固定用金具を打ち込む作業を伴い、安全性の確保と騒音防止の点で解決すべき課題がある。
【００１３】
本発明は、上記課題に鏡み、既存円柱に対して無加工で設置可能な曲面型広告媒体の設置装置を提供することを目的とする。
【課題を解決するための手段】
【００１４】
上記の課題を解決するために、本発明は、既存の円柱の周面に対して接触する複数の固定部材と、該固定部材を上記円柱の周面に圧接させる複数の帯状体と、上記固定部材に対し上記円柱の周面に離接する方向に移動可能に締結部材にて固定される保持部材と、該保持部材において上記締結部材にて固定される被固定面に一体に連設される保持面に形成された複数の締結部材用固定孔と、から成り、上記保持部材は、複数の締結部材と複数の上記締結部材用固定孔とにより、上記円柱の曲率半径よりも大きい曲率半径の曲面型広告媒体を上記保持面に固定して保持する、ことを特徴とする曲面型広告媒体設置装置を提供する。
【００１５】
上記曲面型広告媒体設置装置において、上記帯状体は、例えば、短手方向の剛性と長手方向の可撓性とを有し、上記固定部材に形成された長孔を介し上記固定部材の短手方向に挿通され、上記円柱の周面に巻き付けられて両端部を相互に固定され、上記剛性と上記可撓性とにより上記固定部材を上記円柱の周面に圧接させる、ように構成される。
【００１６】
また、上記固定部材は、例えば、断面がコの字形の金属材であり、上記円柱の軸方向に沿って延在し、上記コの形の両横辺面に複数の上記長孔を形成され、上記コの字形の開口部を上記円柱の周面に向けて圧接される、ように構成される。
【００１７】
また、上記保持部材は、金属材であり、上記固定部材に対向して上記締結部材にて上記固定部材に固定され上記被固定面は上記金属材の一方の材面であり、上記曲面型広告媒体を保持する上記保持面は上記金属材の他方の材面である、
そして、上記固定部材は、例えば、断面が上記コの字形の内部において一方では上記円柱の周面に圧接し他方では上記帯状体に圧接して上記帯状体を張設する弾性部材を備える、ように構成される。
【００１８】
この場合、上記弾性部材は、例えば、くの字形に屈曲した板状の弾性体であり、くの字形の屈曲部を上記円柱の周面に圧接し、くの字形の両端部を上記固定部材に圧接する、ように構成される。
【００１９】
また、上記固定部材は、例えば、上記コの字形の内部において且つコの字形の縦辺面と上記帯状体との間に配置され、押し付勢力を有する付勢部材に助成されて上記帯状体を上記円柱の周面方向に付勢して上記帯状体を張設する張設機構を備える、
この場合、上記張設機構は、例えば、上記コの字形の縦辺面から上記固定部材の内部に挿通された棒状体を成し、該棒状体には、上記コの字形の縦辺面に接する受側締結部材を挿通され、上記帯状体に圧接する先端部に固定フランジを有し、上記付勢部材は、押し螺旋バネであり、上記帯状体に外嵌し、上記受側締結部材と上記固定フランジの間に介装される、ように構成される。
【発明の効果】
【００２０】
本発明の曲面型広告媒体設置装置は、既存円柱に対して無加工で曲面型広告媒体を設置可能であるので、取付前の既存円柱に対する取付準備加工が不要であると共に、曲面型広告媒体を撤去後も取付準備加工の際の加工跡が残らないので、加工跡の修正復元の作業が不要であり、既存の建築円柱に曲面型広告媒体を展示するにおいて、取付前と撤去後の両方において時間と費用が発生せず、低コストの広告媒体の展示が可能になるという効果を奏する。
【００２１】
また、本発明の曲面型広告媒体設置装置は、一定曲率半径の曲面型広告媒体を、その一定曲率半径とは異なる曲率半径の既存円柱に対して取付け可能であるので、それぞれの円柱の太さに合わせた個別の曲面型広告媒体を製作する必要がなく、その点でも低コストの広告媒体の展示が可能になるという効果を奏する。
【００２２】
また、既存円柱に対して無加工で曲面型広告媒体の展示が可能であるので、取付準備加工のために個々の円柱の太さや内部構造の事前の調査が不要となり、事前調査のための時間と費用が節減でき、その点でも低コストの広告媒体の展示が可能になるという効果を奏する。
【００２３】
また、同様に既存円柱に対して無加工で曲面型広告媒体の展示が可能であるので、既存の建築円柱の曲率のある周面に電気ドリルで穴を開けたり、その穴にメスネジを切った固定用金具を打ち込む等の取付準備加工が不要となり、安全性が確保されると共に騒音も殆ど発生しなという効果を奏する。
【図面の簡単な説明】
【００２４】
【図１】本発明の実施例１に係る曲面型広告媒体設置装置の基本構成を曲面型広告媒体と共に２箇所１部を拡大して示す斜視図である。
【図２】(a)〜(d)は実施例１に係る曲面型広告媒体設置装置において一定曲率半径の曲面型広告媒体をその一定曲率半径とは異なる曲率半径の既存円柱に対して取付ける態様を説明する図である。
【図３】本発明の実施例２に係る曲面型広告媒体設置装置において帯状体を張設する固定金具のバネ状部材の形状と機能を説明する拡大断面図である。
【図４】本発明の実施例３に係る曲面型広告媒体設置装置において帯状体を張設する固定金具の張設機構の構造と機能を説明する拡大断面図である。
【図５】従来の公共の場所における既存の建築円柱に曲面型広告媒体を設置した状態を示す図（その１）である。
【図６】従来の公共の場所における既存の建築円柱に曲面型広告媒体を設置した状態を示す図（その２）である。
【発明を実施するための形態】
【００２５】
以下、本発明の実施の形態について、図面を参照しながら詳細に説明する。
【実施例１】
【００２６】
図１は、実施例１に係る曲面型広告媒体設置装置の基本構成を曲面型広告媒体と共に２箇所１部を拡大して示す斜視図である。図１に示すように、本例の曲面型広告媒体設置装置１５は、既存の円柱１６の周面１７に対して接触する複数（図では２本）の固定部材である固定金具１８を備えている。
【００２７】
更に、曲面型広告媒体設置装置１５は、固定金具１８を円柱１６の周面１７に圧接させる複数の帯状体１９と、固定金具１８に対し円柱１６の周面１７に離接する方向に移動可能にボルト２１等の締結部材にて固定される保持部材である保持金具２２を備えている。
【００２８】
また、保持金具２２は、鉄などの金属材や型鋼等のアングル材から成り、アングル材の一方の材面は固定金具１８に対してボルト２１にて固定される被固定面２３を形成し、この被固定面２３に一体に連設されているアングル材の他方の材面は曲面型広告媒体２６を保持する保持面２４を形成し、この保持面２４には複数（図では４個）のボルト用タップ孔（締結部材用固定孔）２５が形成されている。
【００２９】
保持金具２２は、円柱１６の曲率半径よりも大きい曲率半径の曲面型広告媒体２６を、その両端部に形成されている締結部材用取付孔であるボルト用取付孔２７を介し、曲面型広告媒体２６の両端部において、それぞれ複数（４個）の締結部材であるボルト２８と複数の締結部材用固定孔であるボルト用タップ孔２５とにより曲面型広告媒体２６を保持面２４に固定して保持する。
【００３０】
上記の帯状体１９は、短手方向の剛性と長手方向の可撓性とを有する帯状部材である。この帯状体１９は、例えば、大型又は大重量物を梱包して回漕する場合の梱包木箱または梱包木枠の補強と型崩れ防止の目的で使用される鋼鉄バンドでもよい。
【００３１】
あるいは、上記の帯状体１９は、ダンボール箱またはクラフト紙袋等で梱包された荷物の型崩れ防止と取り扱いを容易にするために梱包の上から巻き回される硬質樹脂製のバンドでもよい。
【００３２】
一方、上記の固定金具１８は、断面がコの字形の金属材であり、円柱１６の軸方向に沿って延在し、コの字形の両横辺面２９に複数の長孔３１を形成され、コの字形の開口部を円柱１６の周面１７に向けて円柱１６に圧接されている。
【００３３】
上記の帯状体１９は、固定金具１８に形成されている長孔３１を介し固定金具１８の短手方向に挿通され、円柱１６の周面１７に巻き付けられて両端部を相互に固定されている。その結果として、帯状体１９は、その剛性と可撓性とにより固定金具１８を円柱１６の周面１７に圧接させている。
【００３４】
上記帯状体１９の両端部の相互固定は、例えば帯状体１９が鋼鉄バンドの場合は、扁平状の環状止金具に帯状体１９の両端部を挿通して重ね合わせ、専用の大型レンチで環状止金具の上から挟みつけて、帯状体１９の両端部を環状止金具ともどもカシメて固定する。
【００３５】
また、例えば帯状体１９が硬質樹脂製のバンドの場合は、通常の荷物梱包時のように、硬質樹脂の止め具を用いてもよく、また先端が電気鏝に形成されている専用の大型レンチを用いて帯状体１９の両端部を熱圧着して相互固定してもよい。また、例えば、取付、取外しが可能な機構部を設けて、取外し可能な構造としてもよい。
【００３６】
他方、上記の保持金具２２は、アングル材であり、固定金具１８に対向してボルト２１にて固定金具１８に固定され被固定面２３はアングル材の一方の材面であり、曲面型広告媒体２６を保持する保持面２４はアングル材の他方の材面である。
【００３７】
尚、上記では保持部材の例として保持金具２２としているが、金属に限らず、強度を保つ部材であれば木材や他の部材であっても良い。
【００３８】
図２(a)は上記の曲面型広告媒体設置装置１５により曲面型広告媒体２６が円柱１６の周面１７に取り付けられた状態を示す斜視図であり、同図(b)はその上面図、同図(c),(d)は一定曲率半径の曲面型広告媒体２６をその一定曲率半径とは異なる曲率半径の既存の円柱１６ａ又は１６ｂに対して取付ける態様を説明する拡大図である。
【００３９】
なお、同図(c),(d)の拡大図は、同図(b)に丸ａで囲んで示す部分の拡大図である。また、同図(a)〜(d)には、図１に示した構成と同一構成部分には図１と同一の番号を付与して示している。
【００４０】
また、図２(c)は一定曲率半径（図では内半径で示す）５００ｍｍの曲面型広告媒体２６を、その一定曲率半径５００ｍｍとは異なる曲率半径（図では外半径で示す）４３０ｍｍの既存の円柱１６ａに取付ける態様を示している。
【００４１】
また、図２(d)は同じく一定曲率半径（内半径）５００ｍｍの曲面型広告媒体２６を、その一定曲率内半径５００ｍｍとは異なる曲率半径（外半径）４４５ｍｍの既存の円柱１６ｂに取付ける態様を示している。
【００４２】
図２(c)の場合は、曲面型広告媒体２６の一定曲率の内半径５００ｍｍと、円柱１６ａの外半径４３０ｍｍとの差分が７０ｍｍ有るので、曲面型広告媒体２６を保持する保持金具２２の保持位置を円柱１６ａの周面１７ａより離れる方向に移動させて、保持金具２２に保持されたときの曲面型広告媒体２６の内面２６ａが円柱１６ａの中心より５００ｍｍの位置に来るようにする必要がある。
【００４３】
そこで、保持金具２２を固定金具１８の縦辺面３２に固定するボルト２１の位置決めナット３３の締め位置を調節して保持金具２２を円柱１６ａの周面１７ａより離れる方向に移動させる。これにより、図２(a),(b)に示すように、曲面型広告媒体２６が円柱１６ａに対し程好い形状で取り付けられるようになる。
【００４４】
一方、図２(d)の場合は、曲面型広告媒体２６の一定曲率の内半径５００ｍｍと、円柱１６ｂの外半径４４５ｍｍとの差分は５５ｍｍであって、円柱１６ａの場合よりも差分がやや小さいので、曲面型広告媒体２６を保持する保持金具２２の保持位置を円柱１６ｂの周面１７ｂに近づく方向に移動させて、この場合も保持金具２２に保持されたときの曲面型広告媒体２６の内面２６ｂが円柱１６ｂの中心より５００ｍｍの位置に来るようにする必要がある。
【００４５】
そこで、保持金具２２を固定金具１８の縦辺面３２に固定するボルト２１の位置決めナット３３の締め位置を調節して、保持金具２２を円柱１６ｂの周面１７ｂに近づける方向に移動させる。これにより、この場合も図２(a),(b)に示すように、曲面型広告媒体２６が円柱１６ｂに対し程好い形状で取り付けられるようになる。
【００４６】
ところで、固定金具１８を円柱１６（１６ａ、１６ｂ）の周面１７（１７ａ、１７ｂ）に位置固定するにおいて、帯状体１９の短手方向の剛性と長手方向の可撓性と円柱１６の周面１７に巻き付けた後の両端部の固定による帯状体１９の締め付けによっているが、帯状体１９による締め付けをより強くする形態を以下に説明する。
【００４７】
図３は、実施例２に係る曲面型広告媒体設置装置３５において、固定金具１８をより強く締め付け、固定金具１８を円柱１６に対してより強く位置固定するために、帯状体１９をより強く張設すべく、固定金具１８のコの字形の内部に設けられたバネ状部材の形状と機能を説明する図である。
【００４８】
なお、図３には、図２(a),(b)に示した斜視図及び上面図の図示を省略し、本例の曲面型広告媒体設置装置３５としての主要部の拡大図のみを示している。また、図３には、図１及び図２(a)〜(d)に示した構成と同一の構成部分には図１及び図２(a)〜(d)と同一の番号を付与して示している。
【００４９】
図３に示すように、固定金具１８は、断面がコの字形の内部には、弾性部材であるくの字形に屈曲した板バネから成るバネ状部材３４を備えている。バネ状部材３４は、より強くくの字形に曲がる付勢力を有して、円柱１６の周面１７と帯状体１９との間に介装されている。
【００５０】
バネ状部材３４は、一方ではくの字形の屈曲部３４ａを円柱１６の周面１７に圧接させ、他方ではくの字形の両端部３４ｂを帯状体１９に圧接させている。これにより、バネ状部材３４は、固定金具１８の断面がコの字形の内部において帯状体１９を張設して、円柱１６の周面１７に対する帯状体１９による固定金具１８の締め付けをより強くする機能を発揮している。
【００５１】
このように、固定金具１８と保持金具２２から成る設置半径位置調整機構に、バネ状部材３４による帯状体１９への張設機構を合わせ持つことで、帯状体１９に常に強い張力が加わり、設置半径位置調整機構から円柱１６の周面１７への強い摩擦力が発生する。
【００５２】
これにより、円柱１６へ例えば直接電気ドリルで穴を開けたり、その穴にメスネジを切った固定用金具を打ち込む等の取付準備加工無しでも、帯状体１９による締め付けによって、円柱１６に直接機械に固定する場合と同等の強度と安定性を有する曲面型広告媒体設置装置を実現することができる。
【００５３】
図４は、実施例３に係る曲面型広告媒体設置装置において、上記と同様に帯状体１９をより強く張設する固定金具１８の張設機構の構造と機能を説明する拡大断面図である。
なお、図４も図２(a),(b)に示した斜視図及び上面図の図示を省略し、本例の曲面型広告媒体設置装置としての主要部の拡大図のみを示している。また、図４には、図１及び図２(a)〜(d)に示した構成と同一の構成部分には図１及び図２(a)〜(d)と同一の番号を付与して示している。
【００５４】
図４に示すように、本例の曲面型広告媒体設置装置３６は、固定金具１８の断面がコの字形の内部で且つそのコの字形の縦辺面３２と帯状体１９との間に張設機構が配置されている。
【００５５】
この張設機構は、固定金具１８の断面がコの字形の縦辺面３２から固定金具１８の内部に挿通された棒状体２１aとしてのボルト２１の延長部を含んで構成される。ボルト２１の延長部である棒状体２１aには、固定金具１８の断面がコの字形の縦辺面３２に接する受側締結部材であるワッシャー付きナット３７を挿通されている。
【００５６】
そして、棒状体の帯状体１９に圧接する先端部には固定フランジ３８が備えられている。ワッシャ付きナット３７と固定フランジ３８との間には、押し螺旋バネ３９が、帯状体に外嵌して介装されて、全体として張設機構を形成している。
【００５７】
これにより、張設機構の押し付勢力を有する押し螺旋バネ３９により棒状体の先端が円柱１６の周面１７方向に付勢されて帯状体１９を張設する。
この場合も、固定金具１８と保持金具２２から成る設置半径位置調整機構に、帯状体１９への張設機構を合わせ持つことで、帯状体１９に常に強い張力が加わり、設置半径位置調整機構から円柱１６の周面１７への強い摩擦力が発生する。
【００５８】
これにより、円柱１６へ例えば直接電気ドリルで穴を開けたり、その穴にメスネジを切った固定用金具を打ち込む等の取付準備加工無しでも、帯状体１９による締め付けによって、円柱１６に直接機械に固定する場合と同等の強度と安定性を有する曲面型広告媒体設置装置を実現することができる。
【００５９】
以上説明したように、本発明の曲面型広告媒体設置装置によれば、設置工事が簡素化し、短時間で設置が可能となり、円柱の内部構造の調査等の事前調査の時間が不要であり、これらを総括すると、設置工法として時間面・費用面が従来の設置工法と比較して向上する。よって低コスト化が可能となる。また、設置工事時の安全性が確保され、騒音の問題なども改善される。
【産業上の利用可能性】
【００６０】
本発明は、既存円柱に対し無加工で曲面型広告媒体を設置可能な曲面型広告媒体設置装置に利用することができる。
【符号の説明】
【００６１】
１  照明灯
２  地下道
３  立て看板
４  建築円柱
５  曲面型広告媒体
６  通行人
７  出入り口
８  階段
９  通路
１１  円柱
１２  曲面型広告媒体
１３  宣伝マン
１４  通行人
１５  曲面型広告媒体設置装置
１６、１６ａ、１６ｂ  円柱
１７、１７ａ、１７ｂ  周面
１８  固定金具（固定部材）
１９  帯状体
２１  ボルト（締結部材）
２１ａ  棒状体  
２２  保持金具（保持部材）
２３  被固定面
２４  保持面
２５  ボルト用タップ孔（締結部材用固定孔）
２６  曲面型広告媒体
２６ａ、２６ｂ  内面
２７  ボルト用取付孔（締結部材用取付孔）
２８  ボルト（締結部材）
２９  両横辺面
３１  長孔
３２  縦辺面
３３  位置決めナット
３４  バネ状部材（弾性部材）
３４ａ  くの字形の屈曲部
３４ｂ  くの字形の両端部
３５、３６  曲面型広告媒体設置装置
３７  ワッシャ付きナット（受側締結部材）
３８  固定フランジ
３９  螺旋バネ
【図１】
0005457382.tif 000002
【図２】
0005457382.tif 000003
【図３】
0005457382.tif 000004
【図４】
0005457382.tif 000005
【図５】
0005457382.tif 000006
【図６】
0005457382.tif 000007